(57)【特許請求の範囲】
【請求項１】
約１０ＭＨｚ乃至１００ＧＨｚの動作範囲を有する増幅器であって、前記増幅器の利得を複数の離散的な利得レベルに設定するよう動作する複数の調整段を有し、前記複数の調整段の各々は、対応する抵抗器に並列に電気的に結合されたスイッチを有し、前記スイッチは、オフにされたとき前記増幅器に前記利得を前記複数の利得レベルのうちの隣接する１つに設定させ、前記複数の利得レベルのうちの隣接する各々の間の利得の差は、低い利得レベルより高い利得レベルにおいて大きい、増幅器、
を有し、
データセンタのバックプレーン通信システムにおいて通信媒体を横断する信号の劣化を補償する装置。
【請求項２】
前記複数の調整段は、互いに直列に電気的に結合される、請求項１に記載の装置。
【請求項３】
前記複数の利得レベルのうちの隣接する各々の間の前記利得の差は、高い利得レベルにおいて、約１デシベル（ｄＢ）より大きい大きさである、請求項１に記載の装置。
【請求項４】
前記複数の利得レベルのうちの隣接する各々の間の前記利得の差は、低い利得レベルにおいて、約１デシベル（ｄＢ）より小さい大きさである、請求項１に記載の装置。
【請求項５】
前記増幅器は、前記増幅器の前記利得を追加の複数の離散的な利得レベルに設定するよう動作する追加の複数の調整段を有し、前記追加の複数の調整段の各々は、対応する抵抗器に直列に電気的に結合されたスイッチを有し、前記スイッチは、オンにされたとき前記増幅器に前記利得を前記追加の複数の利得レベルのうちの隣接する１つに設定させ、前記追加の複数の利得レベルのうちの隣接する各々の間の利得の差は、低い利得レベルより高い利得レベルにおいて小さい、請求項１に記載の装置。
【請求項６】
前記追加の複数の調整段は、互いに並列に電気的に結合される、請求項５に記載の装置。
【請求項７】
約１０ＭＨｚ乃至１００ＧＨｚの動作範囲を有する増幅器であって、前記増幅器の利得を複数の離散的な利得レベルに設定するよう動作する複数の調整段を有し、前記複数の利得レベルのうちの隣接する各々の間の利得の差は、低い利得レベルより高い利得レベルにおいて大きい、増幅器、
を有し、
データセンタのバックプレーン通信システムにおいて通信媒体を横断する信号の劣化を補償する装置。
【請求項８】
約１０ＭＨｚ乃至１００ＧＨｚの動作範囲を有する増幅器の入力ポートにおいて入力を受信するステップ、
前記受信した入力を複数の調整段へ伝達するステップ、
前記受信した入力を前記増幅器が提供可能な複数の離散的な利得レベルのうちの１つに対応する利得だけ増幅するステップであって、前記複数の利得レベルのうちの隣接する各々の間の利得の差は、低い利得レベルより高い利得レベルにおいて大きい、ステップ、
前記増幅器の出力ポートにおいて出力を提供するステップ、
を有し、
データセンタのバックプレーン通信システムにおいて通信媒体を横断する信号の劣化を補償する方法。
【請求項９】
約１０ＭＨｚ乃至１００ＧＨｚの動作範囲を有する増幅器であって、前記増幅器の利得を複数の離散的な利得レベルに設定するよう動作する複数の調整段を有し、前記複数の調整段の各々は、対応する抵抗器に並列に電気的に結合されたスイッチを有し、前記スイッチは、オフにされたとき前記増幅器に前記利得を前記複数の利得レベルのうちの隣接する１つに設定させ、前記複数の利得レベルのうちの隣接する各々の間の利得の差は、互いにほぼ等しい、増幅器、
を有し、
データセンタのバックプレーン通信システムにおいて通信媒体を横断する信号の劣化を補償する装置。
【発明の詳細な説明】
【技術分野】
【０００１】
本願は、概して増幅器に関し、より詳細には可変調整精度を有する増幅器に関する。
【背景技術】
【０００２】
増幅器は、信号を増幅するために種々の用途で用いられている。増幅器は、線形等化器回路のような種々の回路により実装され得る。増幅器回路は、信号を増幅し、通信媒体を横断する信号の劣化を補償する。増幅器回路は、適切な回路を用いて調整され得る。
【発明の概要】
【発明が解決しようとする課題】
【０００３】
本開示は、可変調整精度を有する増幅器回路を提供する。
【課題を解決するための手段】
【０００４】
本開示の一態様によると、増幅器回路の可変調整を実現するためのシステムが提供される。システムは、増幅器の利得を離散的な利得レベルに設定する複数の調整段を有する増幅器を有する。特定の実施形態では、調整段は直列に接続され、各調整段は、スイッチに並列に接続された抵抗器を有し、該スイッチはオフにされ、増幅器に利得を隣接する利得レベルに設定させる。特定の実施形態では、複数の利得レベルのうちの隣接する各々間の利得の差は、低い利得レベルより高い利得レベルにおいて大きい。
【０００５】
本開示の別の態様によると、増幅器は、増幅器の利得を追加の離散的な利得レベルに設定する追加の調整段を有する。特定の実施形態では、調整段は並列に接続され、各調整段は、スイッチに直列に接続された抵抗器を有し、該スイッチはオンにされ、増幅器に利得を追加の利得レベルのうちの隣接する１つに設定させる。特定の実施形態では、追加の複数の利得レベルのうちの隣接する各々間の利得の差は、低い利得レベルより高い利得レベルにおいて小さい。
【０００６】
本開示による可変精度の調整を有する増幅器回路は、多数の技術的利点を有する。例えば、線形等化器回路のような増幅器回路は、種々の通信媒体及び異なる動作環境に渡る信号劣化を補償できる。これらの変化する変数に適応するために、可変精度の調整を有する増幅器回路は、１又は複数の選択可能な調整段を用いて、周波数領域に渡り利得の調整を可能にする。本開示の実施形態は、増幅器回路の利得を多くの可能な離散的な利得レベルのうちの１つに調整することを実現する。
【０００７】
これらの実施形態では、例えば、２つの隣接する利得レベルの間の利得の差は、低い利得レベルより高い利得レベルにおいて小さい。したがって、増幅器回路は、大きい利得において微調整を、小さい利得において粗調整に対応できる。他の実施形態では、このような増幅器回路は、追加の回路と組合せられ、高い利得において粗調整を、低い利得において微調整を更に実現できる。
【０００８】
添付の図面と関連して以下の詳細な説明を参照することにより、本開示はより良く理解されるだろう。
【図面の簡単な説明】
【０００９】
【図１Ａ】微−粗調整ステップを有する増幅器の概略図である。
【図１Ｂ】図１Ａの増幅器の増幅のボード線図である。
【図２Ａ】粗−微調整ステップを有する増幅器の概略図である。
【図２Ｂ】図２Ａの増幅器の増幅のボード線図である。
【発明を実施するための形態】
【００１０】
図１Ａは、微−粗調整ステップを有する増幅器回路１００の概略図である。特定の実施形態では、増幅器回路１００は、線形等化器回路として実施される。増幅器回路１００の要素は、同時に動作して、適切な動作周波数において適切な増幅を提供するよう増幅器の利得を調整することにより、信号を増幅する。例えば、増幅器回路１００は、一群の調整段を用いて、抵抗素子を増幅器回路に追加又は取り去る。各調整段は、抵抗器及びスイッチを互いに直列に接続させ、各調整段は、他の調整段に並列に接続される。増幅器回路の種々の調整は、ユーザに所望の動作周波数に渡って適切な利得を設定させ、それにより異なる環境で使用するために回路を適応させる。例えば、増幅器回路は、２以上の通信機と、一方の通信機が他方へ伝達した信号の品質が低下することが分かっている通信媒体とを含む通信システム環境で用いられてもよい。
【００１１】
通信媒体に渡る信号劣化のレベルは、種々の環境要因及び動作要因に依存して通信媒体毎に変化し得る。例えば、複数のブレードサーバ間の通信を実現させる特定のデータセンタのバックプレーン通信システムは、別のデータセンタのバックプレーン通信システムとは異なるかも知れない。これは、ブレードサーバ間の距離又は通信システム及び／又は媒体の特定の物理特性のためである。特定の環境要因は、温度及び圧力を含む。可変調整を有する増幅器回路は、特定の動作環境で経験する信号劣化を補償するように増幅器回路の増幅を設定する調整機構を設けることにより、多くの異なる環境で実質的に同一の回路の使用を可能にする。増幅器回路１００に示されたような可変調整を有する増幅器回路は、高い利得で微調整を提供し低い利得で粗調整を提供することにより、現地で必要なときに回路の増幅を調整する柔軟性をユーザに提供する。
【００１２】
示されるように、増幅器回路１００は、１対の金属酸化膜半導体電界効果トランジスタ（ＭＯＳＦＥＴ）１０２、電圧源１０４、グランド端子１０６、キャパシタ１０８、電流源１１０、及び複数の調整段１１２を有する。
【００１３】
示されるように、増幅器回路１００は、ＭＯＳＦＥＴ１０２ａのゲートで入力を受信し、ＭＯＳＦＥＴ１０２ｂのゲートで反転入力を受信し、縦列接続された調整段を通じて可変調整を実現し、ＭＯＳＦＥＴ１０２ｂのドレインで出力を提供し、ＭＯＳＦＥＴ１０２ａのドレインで反転出力を提供する。増幅器回路１００により提供される増幅は、調整段１１２を作動させることにより調整できる。１対のＭＯＳＦＥＴ１０２のみが示されるが、適切な増幅を提供するために、トランジスタの任意の適切な組合せが存在し得る。示されるように、調整段１１２ａ、１１２ｂ、１１２ｃ及び１１２ｄは、電気的に並列に接続される。各調整段は、増幅器回路１００の増幅を調整するために並列に接続されたスイッチ及び対応する抵抗器を有する。１１２ａのスイッチを作動させると、調整段１１２ａの対応する抵抗器に、調整段１１２全体により提供される実効抵抗値を調整させ、それにより増幅器回路１００の増幅を調整する。同様に、調整段１１２ｂ−ｄに対応するスイッチが作動され、増幅器回路１００により提供される増幅のレベルを調整できる。
【００１４】
図１Ｂは、調整段１１２により調整されたときの増幅器回路１００の増幅を示すボード線図１５０である。示されるように、ボード線図１５０のＸ軸は、周波数を、ラジアン毎秒で、対数目盛で示す。Ｙ軸は、増幅器回路１００の利得の大きさをデシベルで示す。ボード線図１５０は、説明のために、約５乃至５０ラジアン毎秒のような、増幅器回路１００の特定の動作範囲を示す。幾つかの実施形態は、約１０ＭＨｚ乃至１００ＧＨｚの動作範囲を有し得る。特定の実施形態では、大きさは、−１０ｄＢ乃至＋１０ｄＢの範囲であってもよい。ボード線図１５０は、種々の調整構成における増幅器回路１００の特性を示す。例えば、周波数応答１５２は、調整段１１２の全てのスイッチが（図１Ａに示されるように）オフにされた状態に対応し、周波数応答１５４は、調整段１１２の全てのスイッチがオンにされた状態に対応する。周波数応答１５２と周波数応答１５４との間に示された周波数応答は、増幅器回路１００の増幅を調整するための他の可能な組合せの結果を示す。特定の実施形態では、ある調整の組合せから他の組合せへ利得を調整することは、調整段１１２の各々に対応する１又は複数のスイッチを作動させることを含み得る。示されるように、種々の可能な調整の組合せの選択は、離散した利得レベルを生成する。ボード線図１５０は、調整段１１２による増幅器回路１００の調整が高い利得レベルで微調整ステップ１５６を生じ、低い利得レベルで粗調整ステップ１５８を生じることも示す。
【００１５】
例えば、２つの隣接する利得レベルの間の利得の差は、利得の大きさが小さい場合より、利得の大きさが大きい場合の方が小さい。特定の実施形態では、利得の大きさが小さい場合の隣接する利得レベルは、約１デシベルより大きい差を有し得る。これらの実施形態では、利得の大きさが大きい場合の隣接する利得レベルは、約１デシベルより小さい差を有し得る。例えば、利得の大きさが小さい場合の大きさの差は、ボ―ド線図１５０に示されるように、約１デシベルから約３デシベルまでの範囲であってもよい。隣接する利得レベルのこのような変化は、増幅器回路１００により達成できる。例えば、調整段１１２の並列構成とともに各調整段１１２に対応する抵抗器のために適切な値の抵抗値を選択することは、ボード線図１５０に示された種々の可能な周波数応答を提供し、それにより、利得の大きさが大きいときに微調整を実現し、利得の大きさが小さいときに粗調整を実現する。他の実施形態では、各調整段１１２に対応する抵抗器のために他の値の抵抗値を選択することは、大きさのほぼ等しい調整段を提供できる。
【００１６】
有利なことに、増幅器回路１００は、ボード線図１５０に示されたように、高い利得で微調整を提供し、低い利得で粗調整を提供するが、特定の用途又は通信環境では、高い利得で粗調整を有し、低い利得で微調整を有することが望ましいかも知れない。図２Ａ及び２Ｂは、高い利得レベルで粗調整を提供し、低い利得レベルで微調整を提供することができる増幅器回路に対応する。
【００１７】
図２Ａは、粗−微調整ステップを有する増幅器回路２００の概略図である。特定の実施形態では、増幅器回路２００の要素は、同時に動作して、適切な動作周波数において適切な増幅を提供するよう増幅器の利得を調整することにより、信号を増幅する。例えば、増幅器回路２００は、一群の調整段階を用いて、抵抗素子を増幅器回路に追加又は取り去る。各調整段階は、抵抗器及びスイッチを互いに並列に接続させ、各調整段階は、他の調整段階に直列に接続される。増幅器回路２００に示されたような可変調整を有する増幅器回路は、高い利得で粗調整を提供し低い利得で微調整を提供することにより、現地で必要なときに回路の増幅を調整する柔軟性をユーザに提供する。
【００１８】
示されるように、増幅器回路２００は、１対のＭＯＳＦＥＴ２０２、電圧源２０４、グランド端子２０６、キャパシタ２０８、電流源２１０、及び複数の調整段２１２を有する。示されるように、増幅器回路２００は、ＭＯＳＦＥＴ２０２ａのゲートで入力を受信し、ＭＯＳＦＥＴ２０２ｂのゲートで反転入力を受信し、縦列接続された調整段を通じて可変調整を実現し、ＭＯＳＦＥＴ２０２ｂのドレインで出力を提供し、ＭＯＳＦＥＴ２０２ａのドレインで反転出力を提供する。
【００１９】
ＭＯＳＦＥＴ２０２ａ及び２０２ｂは、電気又は電子信号を増幅するのに適した任意のトランジスタを表す。特定の実施形態では、ＭＯＳＦＥＴ２０２ａ及び２０２ｂは、ＮＭＯＳ若しくはＰＭＯＳ  ＭＯＳＦＥＴのいずれか、又はＮＭＯＳ及びＰＭＯＳ  ＭＯＳＦＥＴの任意の適切な組合せであってもよい。示された実施形態では、ＭＯＳＦＥＴ２０２ａ及び２０２ｂは、両方ともＮＭＯＳ  ＭＯＳＦＥＴである。示されるように、ＭＯＳＦＥＴ２０２ａは、増幅器回路の入力（Ｖｉｎ）を受信し、反転出力（Ｖｏｕｔｘ）を提供する。一方で、ＭＯＳＦＥＴ２０２ｂは、増幅器回路の反転入力（Ｖｉｎｘ）を受信し、回路の出力（Ｖｏｕｔ）を提供する。上述のように、１対のＭＯＳＦＥＴ２０２により提供される増幅は、調整段２１２を作動させることにより調整できる。２つのＭＯＳＦＥＴ２０２のみが示されるが、増幅器回路２００は、増幅を提供するために、トランジスタの任意の適切な組合せを有し得る。
【００２０】
電圧源２０４は、電圧源の端子間において増幅器回路２００に一定のＤＣ電圧を供給する任意の適切な電圧源を表す。示されるように、電圧源２０４は、１対のＭＯＳＦＥＴ２０２に結合され、各トランジスタのドレインにおいて電圧を供給する。特定の実施形態では、図示された実施形態に示されるように、電圧源２０４は、先ず１又は複数の抵抗素子に結合され、次にトランジスタのドレインに結合される。電圧源２０４は、ＭＯＳＦＥＴ２０２に入力信号を、調整段２１２により制御される特定の周波数において、適切な利得で適切に増幅させる電圧を供給する。
【００２１】
グランド２０６は、増幅器回路２００内の電圧が測定される回路内の基準点を表す。幾つかの例では、グランド２０６は、電気接地（例えば、ゼロボルト又はその等価物）に接続されてもよい。例えば、ＭＯＳＦＥＴ２０２ａのゲートで受信された入力電圧（Ｖｉｎ）は、グランド２０６を基準に測定できる。同様に、ＭＯＳＦＥＴ１０２Ｂのドレインにおける出力電圧（Ｖｏｕｔ）は、グランド２０６を基準に測定できる。同様に、増幅器回路２００の他の電圧は、グランド２０６を基準に測定できる。
【００２２】
キャパシタ２０８は、電荷を蓄積できる任意の電子素子を表す。特定の実施形態では、キャパシタ２０８は、絶縁体のような誘電体により分離された端子として動作する２つの導体を有する。示された実施形態では、キャパシタ２０８は、ＭＯＳＦＥＴ２０２ａのソース及びＭＯＳＦＥＴ２０２ｂのソースに結合される。さらに、キャパシタ２０８は、調整段２１２に並列構成で結合される。特定の実施形態では、キャパシタ２０８は、増幅器回路２００の周波数特性を制御できる。
【００２３】
電流源２１０は、個々の電流源に接続された経路にＤＣ電流を供給する任意の適切な電流源を表す。示されるように、２つの電流源２１０の各々は、ＭＯＳＦＥＴ２０２のそれぞれ並びにグランド２０６に電気的に結合される。２つの電流源２１０の各々は、個々のトランジスタ（ＭＯＳＦＥＴ２０２ａ又は２０２ｂ）のソースからグランドへの経路の電流を一定のＤＣ電流値にする。
【００２４】
調整段２１２は、増幅器回路２００の増幅を調整する適切な回路を表す。特定の実施形態では、１つより多い調整段が互いに電気的に結合されてもよい。例えば、調整段２１２ａ、２１２ｂ、２１２ｃ及び２１２ｄは、電気的に直列に接続される。示されるように、各調整段は、増幅器回路２００の増幅を調整するために並列に接続されたスイッチ及び対応する抵抗器を有してもよい。例えば、２１２ａのスイッチを作動させると、調整段２１２ａの対応する抵抗器に、調整段１１２全体により提供される実効抵抗値を調整させ、それにより増幅器回路２００の増幅を調整する。同様に、調整段２１２ｂ−ｄに対応するスイッチが作動され、増幅器回路２００により提供される増幅のレベルを調整できる。４つの調整段のみが示されたが、本開示による回路は、周波数領域に渡って増幅器回路２００の利得を調整するための任意の適切な数の調整段を有してもよい。
【００２５】
作動中、増幅器回路２００は、増幅のために、ＭＯＳＦＥＴ２０２ａのゲートで入力を受信し、ＭＯＳＦＥＴ２０２ｂのゲートで反転入力を受信する。特定の実施形態では、入力は、通信媒体を横断して伝送された後に、通信機で受信された信号である。通信媒体に渡る信号劣化を補償するために、増幅器回路２００は、１対のＭＯＳＦＥＴ２０２を用いて受信した信号（つまり、回路への入力）を増幅する。これらのトランジスタにより提供される利得は、通常、調整段２１２により制御される。特定の実施形態では、各調整段２１２のスイッチを作動すると、周波数スペクトラムに渡る増幅器回路２００の利得に影響を与える。適切な調整の後に、ＭＯＳＦＥＴ２０２ｂのドレインで増幅された出力が得られ、ＭＯＳＦＥＴ２０２ａのドレインで増幅された出力の反転が得られる。示された実施形態が４個の調整段、つまり２１２ａ、２１２ｂ、２１２ｃ及び２１２ｄを有し、各調整段の対応するスイッチは２個の可能な位置を有する場合、増幅器回路２００は、増幅調整の１６個の可能な組合せが可能である。特定の実施形態では、各組合せは、増幅器回路２００の入力に適用できる離散的な利得レベルであってよい。他の実施形態では、増幅調整の１つの可能な組合せの周波数特性は、別の可能な組合せの周波数特性と同じであってもよく、それにより、周波数特性の総数を少なくしてもよい。示された回路は、調整の１６個の組合せを可能にするが、本開示による実施形態は、任意の数の離散的な利得レベルを実現できる。
【００２６】
増幅器回路２００は、特定の構成のための特定の構成要素を含むとして示されたが、種々の実施形態は、記載されたような機能を提供可能な構成要素の任意の適切な配置及び収集を用いて動作できる。例えば、増幅器回路２００は、４個より多い又は少ない調整段を有してもよい。
【００２７】
図２Ｂは、調整段２１２により調整されたときの増幅器回路２００の増幅を示すボード線図２５０である。示されるように、ボード線図２５０のＸ軸は、周波数を、ラジアン毎秒で、対数目盛で示す。Ｙ軸は、増幅器回路２００の利得の大きさをデシベルで示す。ボード線図２５０は、説明のために、約５乃至５０ラジアン毎秒のような、増幅器回路２００の特定の動作範囲を示す。幾つかの実施形態は、約１０ＭＨｚ乃至１００ＧＨｚの動作範囲を有し得る。特定の実施形態では、大きさは、−１０ｄＢ乃至＋１０ｄＢの範囲であってもよい。ボード線図２５０は、種々の調整構成における増幅器回路２００の特性を示す。例えば、周波数応答２５２は、調整段２１２の全てのスイッチが（図２Ａに示されるように）オフにされた状態に対応し、周波数応答２５４は、調整段１１２の全てのスイッチがオンにされた状態に対応する。周波数応答２５２と周波数応答２５４との間に示された周波数応答は、増幅器回路２００の増幅を調整するための他の可能な組合せの結果を示す。特定の実施形態では、ある調整の組合せから他の組合せへ利得を調整することは、調整段２１２の各々に対応する１又は複数のスイッチを作動させることを含み得る。示されるように、種々の可能な調整の組合せの選択は、離散した利得レベルを生成する。ボード線図２５０は、調整段２１２による増幅器回路２００の調整が高い利得レベルで粗調整ステップ２５６を生じ、低い利得レベルで微調整ステップ２５８を生じることも示す。
【００２８】
特定の実施形態では、２つの隣接する利得レベルの間の利得の差は、利得の大きさが小さい場合より、利得の大きさが大きい場合の方が大きい。例えば、利得の大きさが小さい場合の隣接する利得レベルは、約１デシベルより小さい差を有し得る。これらの実施形態では、利得の大きさが大きい場合の隣接する利得レベルは、約１デシベルより大きい差を有し得る。例えば、利得の大きさが大きい場合の大きさの差は、ボード線図２５０に示されるように、約１デシベルから約３デシベルまでの範囲であってもよい。隣接する利得レベルのこのような変化は、増幅器回路２００のような増幅器回路により達成できる。例えば、調整段２１２の直列構成とともに各調整段２１２に対応する抵抗器のために適切な値の抵抗値を選択することは、ボード線図２５０のような周波数スペクトラムに渡り種々の利得を提供し、それにより、利得の大きさが大きいときに粗調整を実現し、利得の大きさが小さいときに微調整を実現する。他の実施形態では、各調整段２１２に対応する抵抗器のために他の値の抵抗値を選択することは、大きさのほぼ等しい調整段を提供できる。
【００２９】
システム２５０は、特定の回路で特定の周波数において特定の利得レベルを示すとして説明されたが、周波数スペクトラムに渡り他の利得レベルも可能であることが理解される。例えば、より多くの又は少ない調整段２１２を有する回路に対応するボード線図が、追加の又は少ない利得レベルを示してもよい。さらに、増幅器回路２００は、増幅器回路１００と適切な方法で結合され、周波数領域に渡り、種々の大きさの利得で粗及び微調整の任意の適切な組合せを提供してもよい。
【００３０】
本開示は複数の実施形態を記載したが、無数の変更、置換及び代替が、特許請求の範囲により定められる本発明の精神及び範囲から逸脱することなく行われうることが理解されるべきである。
【００３１】
以上の実施形態に関し、更に以下の付記を開示する。
（付記１）  増幅器であって、前記増幅器の利得を複数の離散的な利得レベルに設定するよう動作する複数の調整段を有し、前記複数の調整段の各々は、対応する抵抗器に並列に電気的に結合されたスイッチを有し、前記スイッチは、オフにされたとき前記増幅器に前記利得を前記複数の利得レベルのうちの隣接する１つに設定させ、前記複数の利得レベルのうちの隣接する各々の間の利得の差は、低い利得レベルより高い利得レベルにおいて大きい、増幅器、
を有する装置。
（付記２）  前記複数の調整段は、互いに直列に電気的に結合される、付記１に記載の装置。
（付記３）  前記複数の利得レベルのうちの隣接する各々の間の前記利得の差は、高い利得レベルにおいて、約１デシベル（ｄＢ）より大きい大きさである、付記１に記載の装置。
（付記４）  前記複数の利得レベルのうちの隣接する各々の間の前記利得の差は、低い利得レベルにおいて、約１デシベル（ｄＢ）より小さい大きさである、付記１に記載の装置。
（付記５）  前記増幅器は、約１０ＭＨｚ乃至１００ＧＨｚの動作範囲を有する、付記１に記載の装置。
（付記６）  前記増幅器は、前記増幅器の前記利得を追加の複数の離散的な利得レベルに設定するよう動作する追加の複数の調整段を有し、前記追加の複数の調整段の各々は、対応する抵抗器に直列に電気的に結合されたスイッチを有し、前記スイッチは、オンにされたとき前記増幅器に前記利得を前記追加の複数の利得レベルのうちの隣接する１つに設定させ、前記追加の複数の利得レベルのうちの隣接する各々の間の利得の差は、低い利得レベルより高い利得レベルにおいて小さい、付記１に記載の装置。
（付記７）  前記追加の複数の調整段は、互いに並列に電気的に結合される、付記６に記載の装置。
（付記８）  増幅器であって、前記増幅器の利得を複数の離散的な利得レベルに設定するよう動作する複数の調整段を有し、前記複数の利得レベルのうちの隣接する各々の間の利得の差は、低い利得レベルより高い利得レベルにおいて大きい、増幅器、
を有する装置。
（付記９）  前記複数の調整段は、互いに直列に電気的に結合される、付記８に記載の装置。
（付記１０）  前記複数の利得レベルのうちの隣接する各々の間の前記利得の差は、高い利得レベルにおいて、約８デシベル（ｄＢ）より大きい大きさである、付記８に記載の装置。
（付記１１）  前記複数の利得レベルのうちの隣接する各々の間の前記利得の差は、低い利得レベルにおいて、約８デシベル（ｄＢ）より小さい大きさである、付記８に記載の装置。
（付記１２）  前記増幅器は、約１０ＭＨｚ乃至１００ＧＨｚの動作範囲を有する、付記８に記載の装置。
（付記１３）  前記増幅器は、前記増幅器の利得を追加の複数の離散的な利得レベルに設定するよう動作する追加の複数の調整段を更に有し、前記追加の複数の利得レベルのうちの隣接する各々の間の利得の差は、低い利得レベルより高い利得レベルにおいて小さい、付記８に記載の装置。
（付記１４）  前記追加の複数の調整段は、互いに並列に電気的に結合される、付記１３に記載の装置。
（付記１５）  増幅器の入力ポートにおいて入力を受信するステップ、
前記受信した入力を複数の調整段へ伝達するステップ、
前記受信した入力を前記増幅器が提供可能な複数の離散的な利得レベルのうちの１つに対応する利得だけ増幅するステップであって、前記複数の利得レベルのうちの隣接する各々の間の利得の差は、低い利得レベルより高い利得レベルにおいて大きい、ステップ、
前記増幅器の出力ポートにおいて出力を提供するステップ、
を有する方法。
（付記１６）  前記複数の調整段は、互いに直列に電気的に結合される、付記１５に記載の方法。
（付記１７）  前記複数の利得レベルのうちの隣接する各々の間の前記利得の差は、高い利得レベルにおいて、約１デシベル（ｄＢ）より大きい大きさである、付記１５に記載の方法。
（付記１８）  前記複数の利得レベルのうちの隣接する各々の間の前記利得の差は、低い利得レベルにおいて、約１デシベル（ｄＢ）より小さい大きさである、付記１５に記載の方法。
（付記１９）  前記増幅器は、約１０ＭＨｚ乃至１００ＧＨｚの動作範囲を有する、付記１５に記載の方法。
（付記２０）  前記増幅器は、前記増幅器の利得を追加の複数の離散的な利得レベルに設定するよう動作する追加の複数の調整段を更に有し、前記追加の複数の利得レベルのうちの隣接する各々の間の利得の差は、低い利得レベルより高い利得レベルにおいて小さい、付記１５に記載の方法。
（付記２１）  前記追加の複数の調整段は、互いに並列に電気的に結合される、付記２０に記載の方法。
（付記２２）  前記入力は差動入力であり、前記入力ポートは２つの差動ノードを有し、前記出力は差動出力であり、前記出力ポートは２つのノードを有する、付記１５に記載の方法。
（付記２３）  増幅器であって、前記増幅器の利得を複数の離散的な利得レベルに設定するよう動作する複数の調整段を有し、前記複数の調整段の各々は、対応する抵抗器に並列に電気的に結合されたスイッチを有し、前記スイッチは、オフにされたとき前記増幅器に前記利得を前記複数の利得レベルのうちの隣接する１つに設定させ、前記複数の利得レベルのうちの隣接する各々の間の利得の差は、互いにほぼ等しい、増幅器、
を有する装置。
【符号の説明】
【００３２】
１０２、２０２  ＭＯＳＦＥＴ
１０４、２０４  電圧源
１０６、２０６  グランド
１０８、２０８  キャパシタ
１１０、２１０  電流源
Ｒ１２〜Ｒ１５、Ｒ０〜Ｒ５  抵抗器
Ｓ０〜Ｓ３  スイッチ
Ｃ０  キャパシタ
【図１Ａ】
0005949321.tif 000002
【図１Ｂ】
0005949321.tif 000003
【図２Ａ】
0005949321.tif 000004
【図２Ｂ】
0005949321.tif 000005